(57)【特許請求の範囲】
【請求項１】
基地局からの電波を受信する受信機（２）と、
前記受信機（２）によって受信された信号をサンプリングするサンプリング部（３）と、
前記サンプリング部（３）によってサンプリングされた信号を復調する復調部（５）と、
前記復調部（５）によって復調されたデータに基づいて、メインセクタを選択する選択部（４）と、
前記サンプリング部（３）によってサンプリングされた信号に基づいて、メインパスを検出するパス検出部（６）と、
前記パス検出部（６）によって検出されたメインパスに基づいて、サンプリングクロックに異なる周波数のクロックを挿入し、タイミングが変更されたサンプリングクロックを生成して前記サンプリング部（３）に入力するクロック生成部（７）とを含む移動通信端末。
【請求項２】
前記クロック生成部（７）は、前記異なる周波数のクロックを１クロック挿入して、前記サンプリングクロックのタイミングを変更する、請求項１記載の移動通信端末。
【請求項３】
前記移動通信端末は、ＣＤＭＡ方式の移動通信端末である、請求項１記載の移動通信端末。
【請求項４】
基地局からの電波を受信する受信機（２）と、
前記受信機（２）によって受信された信号をサンプリングするサンプリング部（３）と、
前記サンプリング部（３）によってサンプリングされた信号を復調する復調部（５）と、
前記復調部（５）によって復調されたデータに基づいて、メインセクタを選択する選択部（４）と、
前記サンプリング部（３）によってサンプリングされた信号に基づいて、複数のパスを検出するパス検出部（６）と、
前記パス検出部（６）によって検出されたパスの中からメインパスを検出し、当該メインパスの前方保護および後方保護の状態に基づいて、メインパスを変更するか否かを判定する判定部（４）と、
前記判定部（４）による判定結果に基づいて、タイミングを変更したサンプリングクロックを生成して前記サンプリング部（３）に入力するクロック生成部（７）とを含む移動通信端末。
【請求項５】
前記判定部（４）は、メインパスがない状態である第１の状態と、
メインパスが後方保護の状態である第２の状態と、
メインパスが確立された状態である第３の状態と、
メインパスが前方保護の状態である第４の状態とを含む複数の状態を遷移させて、メインパスを変更するか否かを判定する、請求項４記載の移動通信端末。
【請求項６】
前記判定部（４）は、メインパスを検出した場合に、前記第１の状態から前記第２の状態へ遷移させてメインパスを変更すると判定する、請求項５記載の移動通信端末。
【請求項７】
前記判定部（４）は、メインパスを所定回数連続して検出した場合に、前記第２の状態から前記第３の状態へ遷移させる、請求項５記載の移動通信端末。
【請求項８】
前記判定部（４）は、メインパスを所定回数連続して検出しなかった場合に、前記第４の状態から前記第１の状態へ遷移させる、請求項５記載の移動通信端末。
【請求項９】
前記クロック生成部（７）は、所定時間経過毎に、前記判定部（４）による判定結果に基づいて、タイミングを変更したサンプリングクロックを生成する、請求項４記載の移動通信端末。
【請求項１０】
前記移動通信端末は、ＣＤＭＡ方式の移動通信端末である、請求項４記載の移動通信端末。
【請求項１１】
基地局からの電波を受信する受信機（２）と、
前記受信機（２）によって受信された信号をサンプリングするサンプリング部（３）と、
前記サンプリング部（３）によってサンプリングされた信号に基づいて、少なくとも異なる２つの閾値を用いてメインセクタを選択する選択部（４）と、
前記サンプリング部（３）によってサンプリングされた信号に基づいて、メインパスを検出するパス検出部（６）とを含む移動通信端末。
【請求項１２】
前記選択部（４）は、メインセクタの受信レベルが第１の閾値よりも小さく、受信レベルが最大のセクタの受信レベルが、前記第１の閾値よりも大きい第２の閾値以上の場合に、メインセクタを受信レベルが最大のセクタに変更する、請求項１１記載の移動通信端末。
【請求項１３】
前記選択部（４）は、メインセクタの回線品質が第１の閾値よりも小さい状態が第２の閾値以上続いた場合に、回線品質が最大のセクタにメインセクタを変更する、請求項１１記載の移動通信端末。
【請求項１４】
前記選択部（４）は、回線品質が最大のセクタの回線品質とメインセクタの回線品質との差分が、第１の閾値よりも大きい状態が第２の閾値以上続いた場合に、メインセクタを回線品質が最大のセクタに変更する、請求項１１記載の移動通信端末。
【請求項１５】
前記移動通信端末は、ＣＤＭＡ方式の移動通信端末である、請求項１１記載の移動通信端末。
【発明の詳細な説明】
技術分野
本発明は、符号分割多重方式によって通信を行なう移動通信端末に関し、特に、受信レベルが最大のパスを追尾して受信する移動通信端末に関する。
背景技術
近年、携帯電話や自動車電話等の移動通信端末が広く普及しており、移動通信端末において使用される多重化方式も種々開発されている。その中でも、マルチパスに強い、スペクトル利用効率が高い（加入者容量を増やせる）等の理由により、ＣＤＭＡ（Ｃｏｄｅ  Ｄｉｖｉｓｉｏｎ  Ｍｕｌｔｉｐｌｅ  Ａｃｃｅｓｓ）方式が携帯電話等に採用されている。このＣＤＭＡ方式が採用された携帯電話等の移動局が移動したりして、基地局との通信状態が劣化する場合には、よりよい通信状態を維持するために別の基地局の通信チャネルに切り替える動作いわゆるハンドオーバが行なわれる。
図１３は、ハンドオーバの発生を説明するための図である。一般に、複数の基地局（ＢＳ１〜５）は規則的に配置されており、サービスエリアを複数の基地局でなるべく高い電界でカバーすると、図１３に示すように各基地局のセルが正多角形となることが知られている。移動通信端末（ＭＳ）が通信を行なう際に、各基地局からの複数の電波を受信することとなるが、ＭＳがセルの境界またはセクタの境界を移動する場合、特にフェージングが発生している場合には、最大レベルのパスが頻繁に切り替わるため、頻繁にハンドオーバが行なわれることになる。
また、移動通信端末において、タイミング追尾を行なうのにサンプリングクロックのタイミングを変更する方法が一般に用いられている。しかし、デジタル回路によるサンプリングクロックのタイミング制御は、変更の精度が粗くなる。したがって、上述したハンドオーバが頻繁に行なわれる場合には、データ受信における品質が劣化するという問題点があった。
本発明は、上記問題点を解決するためになされたものであり、第１の目的は、メインセクタが頻繁に切り替えられて受信品質が低下するのを防止した移動通信端末を提供することである。
第２の目的は、メインパスが頻繁に切り替えられて受信品質が低下するのを防止した移動通信端末を提供することである。
第３の目的は、タイミングが異なるサンプリングクロックの生成を簡単な構成で実現した移動通信端末を提供することである。
発明の開示
本発明のある局面に従えば、移動通信端末は、基地局からの電波を受信する受信機と、受信機によって受信された信号をサンプリングするサンプリング部と、サンプリング部によってサンプリングされた信号を復調する復調部と、復調部によって復調されたデータに基づいてメインセクタを選択する選択部と、サンプリング部によってサンプリングされたデータに基づいて、メインパスを検出するパス検出部と、パス検出部によって検出されたメインパスに基づいて、サンプリングクロックに異なる周波数のクロックを挿入し、タイミングが変更されたサンプリングクロックを生成してサンプリング部に入力するクロック生成部とを含む。
クロック生成部は、サンプリングクロックに異なる周波数のクロックを挿入し、タイミングが変更されたサンプリングクロックを生成するので、サンプリング部のサンプリングのタイミングを容易に変更することが可能となる。
好ましくは、クロック生成部は、異なる周波数のクロックを１クロック挿入して、サンプリングクロックのタイミングを変更する。
クロック生成部は、異なる周波数のクロックを１クロック挿入するだけなので、さらに容易にサンプリングのタイミングを変更することが可能となる。
さらに好ましくは、移動通信端末は、ＣＤＭＡ方式の移動通信端末である。
本発明の別の局面に従えば、移動通信端末は、基地局からの電波を受信する受信機と、受信機によって受信された信号をサンプリングするサンプリング部と、サンプリング部によってサンプリングされた信号を復調する復調部と、復調部によって復調されたデータに基づいてメインセクタを選択する選択部と、サンプリング部によってサンプリングされた信号に基づいて、複数のパスを検出するパス検出部と、パス検出部によって検出されたパスの中からメインパスを検出し、当該メインパスの前方保護および後方保護の状態に基づいて、メインパスを変更するか否かを判定する判定部と、判定部による判定結果に基づいて、タイミングを変更したサンプリングクロックを生成してサンプリング部に入力するクロック生成部とを含む。
判定部は、パス検出部によって検出されたパスの中からメインパスを検出し、当該メインパスの前方保護および後方保護の状態に基づいて、メインパスを変更するか否かを判定するので、メインパスが頻繁に切り替えられて受信品質が低下するのを防止することが可能となる。
好ましくは、判定部は、メインパスがない状態である第１の状態と、メインパスが後方保護の状態である第２の状態と、メインパスが確立された状態である第３の状態と、メインパスが前方保護の状態である第４の状態とを含む複数の状態を遷移させて、メインパスを変更するか否かを判定する。
判定部は、４つの状態を遷移させてメインパスを変更するので、メインパスの変更を適切に行なうことが可能となる。
さらに好ましくは、判定部は、メインパスを検出した場合に、第１の状態から前記第２の状態へ遷移させてメインパスを変更すると判定する。
判定部は、第１の状態から前記第２の状態へ遷移したときにのみメインパスを変更するので、メインパスが頻繁に切り替えられて受信品質が低下するのを防止することが可能となる。
さらに好ましくは、判定部は、メインパスを所定回数連続して検出した場合に、第２の状態から第３の状態へ遷移させる。
判定部は、メインパスを所定回数連続して検出した場合に、第２の状態から第３の状態へ遷移させるので、メインパスが頻繁に切り替えられて受信品質が低下するのを防止することが可能となる。
さらに好ましくは、判定部は、メインパスを所定回数連続して検出しなかった場合に、第４の状態から第１の状態へ遷移させる。
判定部は、メインパスを所定回数連続して検出しなかった場合にのみ、第４の状態から第１の状態へ遷移させるので、メインパスが頻繁に切り替えられて受信品質が低下するのを防止することが可能となる。
さらに好ましくは、クロック生成部は、所定時間経過毎に、判定部による判定結果に基づいて、タイミングを変更したサンプリングクロックを生成する。
クロック生成部は、所定時間経過しなければ、サンプリングクロックのタイミングを変更しないので、メインパスが頻繁に切り替えられて受信品質が低下するのを防止することが可能となる。
さらに好ましくは、移動通信端末は、ＣＤＭＡ方式の移動通信端末である。
ＣＤＭＡ方式の移動通信端末に適用することにより、パスの追尾を適切に行なうことが可能となる。
本発明のさらに別の局面に従えば、移動通信端末は、基地局からの電波を受信する受信機と、受信機によって受信された信号をサンプリングするサンプリング部と、サンプリング部によってサンプリングされた信号を復調する復調部と、復調部によって復調されたデータに基づいて、少なくとも異なる２つの閾値を用いてメインセクタを選択する選択部と、サンプリング部によってサンプリングされた信号に基づいて、メインパスを検出するパス検出部とを含む。
選択部は、復調部によって復調されたデータに基づいて、少なくとも異なる２つの閾値を用いてメインセクタを選択するので、メインセクタが頻繁に切り替えられて受信品質が低下するのを防止することが可能となる。
好ましくは、選択部は、メインセクタの受信レベルが第１の閾値よりも小さく、受信レベルが最大のセクタの受信レベルが、第１の閾値よりも大きい第２の閾値以上の場合に、メインセクタを受信レベルが最大のセクタに変更する。
選択部は、メインセクタの受信レベルが第１の閾値よりも小さく、受信レベルが最大のセクタの受信レベルが、第１の閾値よりも大きい第２の閾値以上の場合にのみメインセクタを切り替えるので、メインセクタが頻繁に切り替えられて受信品質が低下するのを防止することが可能となる。
好ましくは、選択部は、メインセクタの回線品質が第１の閾値よりも小さい状態が第２の閾値以上続いた場合に、回線品質が最大のセクタにメインセクタを変更する。
選択部は、メインセクタの回線品質が第１の閾値よりも小さい状態が第２の閾値以上続いた場合にのみメインセクタを切り替えるので、メインセクタが頻繁に切り替えられて受信品質が低下するのを防止することが可能となる。
好ましくは、選択部は、回線品質が最大のセクタの回線品質とメインセクタの回線品質との差分が、第１の閾値よりも大きい状態が第２の閾値以上続いた場合に、メインセクタを回線品質が最大のセクタに変更する。
選択部は、回線品質が最大のセクタの回線品質とメインセクタの回線品質との差分が、第１の閾値よりも大きい状態が第２の閾値以上続いた場合にのみメインセクタを切り替えるので、メインセクタが頻繁に切り替えられて受信品質が低下するのを防止することが可能となる。
好ましくは、移動通信端末は、ＣＤＭＡ方式の移動通信端末である。
ＣＤＭＡ方式の移動通信端末に適用することにより、パスの追尾を適切に行なうことが可能となる。
発明を実施するための最良の形態
本発明をより詳細に説明するために、添付の図面にしたがってこれを説明する。
（実施例１）
図１は、本発明の第１実施例における移動通信端末の概略構成を説明するためのブロック図である。この移動通信端末は、アンテナ１と、アンテナ１を介して基地局からの微弱な電波を受信する受信機２と、受信されたアナログ信号をデジタル信号に変換して出力するＡ／Ｄ（Ａｎａｌｏｇ／Ｄｉｇｉｔａｌ）コンバータ３と、移動通信端末の全体的な制御を行なう制御部４と、Ａ／Ｄコンバータ３から出力された受信信号を復調する復調器５と、追尾するパス（メインパス）を検出するパス検出器６と、タイミングが変更されたサンプリングクロックを生成するクロック生成部７とを含む。制御部４は、パス検出器６によって検出されたメインパスに応じてクロック生成器７を制御し、サンプリングクロックのタイミングを変更する。また、Ａ／Ｄコンバータ３は、クロック生成部７から出力されたサンプリングクロックで受信信号をサンプリングする。
図２Ａ〜２Ｃは、サンプリングクロックのタイミング変更の概念を説明するための図である。図２Ａは、通常タイミングのサンプリングクロックを示しており、この一定周期のサンプリングクロックがＡ／Ｄコンバータ３に入力される。制御部４がフレームに対してサンプリングクロックのタイミングが遅れていると判定した場合には、図２Ｂに示すようにフレームの最後のサンプリングクロックにおいてパルス幅の短いクロックが１クロックだけ挿入されて、サンプリングクロックのタイミングが進むように制御される。また、制御部４がフレームに対してサンプリングクロックのタイミングが進んでいると判定した場合には、図２Ｃに示すようにフレームの最後のサンプリングクロックにおいてパルス幅の長いクロックが１クロックだけ挿入されて、サンプリングクロックのタイミングが遅れるように制御される。
図３は、クロック生成部７の概略構成を示す図である。このクロック生成部７は、スイッチ７１と、原クロックを分周して周波数が１／３のクロックを出力する１／３分周回路７２、原クロックを分周して周波数が１／４のクロックを出力する１／４分周回路７３および原クロックを分周して周波数が１／５のクロックを出力する１／５分周回路７４と、ＯＲ回路７５とを含む。なお、分周回路７２〜７４の分周の比率は、説明を簡単にするために１／３〜１／５としており、これに限られるものではない。
図２Ａに示すように、通常タイミングのサンプリングクロックを生成する場合には、スイッチ７１を切り替えて１／４分周回路５３に原クロックが入力される。
また、図２Ｂに示すように、サンプリングクロックのタイミングを進める場合には、スイッチ７１を切り替えて１／３分周回路７２に原クロックが入力され、１／３分周回路７２から１クロックだけ出力されると、スイッチ７１を切り替えて再び１／４分周回路７３に原クロックが入力される。
また、図２Ｃに示すように、サンプリングクロックのタイミングを遅らせる場合には、スイッチ７１を切り替えて１／５分周回路７４に原クロックが入力され、１／５分周回路７４から１クロックだけ出力されると、スイッチ７１を切り替えて再び１／４分周回路７３に原クロックが入力される。
図４は、本実施の形態における移動通信端末の処理手順を説明するためのフローチャートである。まず、制御部４は、メインセクタの選択を行なう（Ｓ１）。一般に、セルは複数のセクタゾーンに分割されており、セクタ間でハンドオーバの制御が行なわれる。従来と同様に、受信レベルが最も強いセクタがメインセクタとして選択される。そして、制御部４は、メインパスを選択する（Ｓ２）。
図５は、メインパスの選択を説明するための図である。状態１は、メインパスがない状態を示しており、通信の開始時やメインパスの変更時における状態を示している。状態２〜４はそれぞれ、メインパスが後方保護の状態、メインパスが確立されている状態およびメインパスが前方保護の状態にあることを示している。
一般に、移動通信端末のタイミングが受信信号のフレームの並びに正しく調整されるように、受信データの一部にフレームの境目を識別するための信号が付加されている。この制御信号によって移動通信端末と受信信号との間の同期化が行なわれる。
たとえば、メインパスがない状態（状態１）の場合に、受信レベルが最大のパスがメインパスに設定されて、状態２へ遷移する。メインパスの後方保護の状態（状態２）にある場合に、メインパスがＮｒ回連続して検出されれば状態３へ遷移し、メインパスが検出されなければ状態１へ遷移する。また、メインパスが確立している状態（状態３）にある場合に、メインパスが検出されなければ状態４へ遷移する。また、メインパスの前方保護の状態（状態４）にある場合に、メインパスが検出されれば状態３へ遷移し、メインパスがＮｆ回連続して検出されなければ状態１へ遷移する。このようにして、メインパスが確立された後は、メインパスがＮｆ回連続して検出されない場合にのみメインパスが変更され、頻繁にメインパスが変更されるのを防止できる。
再び、図４に示すフローチャートの説明に戻る。ステップＳ３において、メインパスの変更があり、変更後のメインパスが変更前のメインパスよりも進んでいる場合には（Ｓ３，▲１▼）、制御部４はクロック生成部７を制御して、図２Ｂに示すようにクロックの進み制御を行なう（Ｓ４）。また、メインパスの変更がない場合には（Ｓ３，▲２▼）、そのまま処理が終了する。また、メインパスの変更があり、変更後のメインパスが変更前のメインパスよりも遅れている場合には（Ｓ３，▲３▼）、制御部４はクロック生成器７を制御して、図２Ｃに示すようにクロックの遅れ制御を行なう（Ｓ５）。
以上説明したように、本実施例における移動通信端末によれば、メインパスの選択において、メインパスが前方保護または後方保護の状態にあることを検出し、メインパスが前方保護の状態にあり、連続してＮｆ回メインパスが検出されない場合にのみメインパスを変更するようにしたので、メインパスが短周期で切り替えられて受信品質が劣化することを防止することが可能となった。
また、サンプリングクロックの制御方法において、周波数の異なるクロックを１クロックだけ挿入することによって、サンプリングクロックのタイミングを制御するようにしたので、クロックの制御を簡単に行なえるようになった。
（実施例２）
本発明の実施例２における移動通信端末は、図１に示す実施例１における移動通信端末と比較して、制御部の処理手順が異なる点のみが異なる。また、実施例２における移動通信端末の処理手順は、図４に示す実施例１における移動通信端末の処理手順と比較して、ステップＳ１に示すメインセクタの選択処理のみが異なる。したがって、重複する構成および機能の詳細な説明は繰り返さない。なお、本実施例における制御部の参照符号を４ａとし、ステップＳ１をステップＳ１ａとして説明する。
図６は、本実施例における移動通信端末のメインセクタ選択（Ｓ１ａ）の処理手順をさらに詳細に説明するためのフローチャートである。なお、閾値１および閾値２は、それぞれ異なる受信レベルの閾値を示しており、閾値１＜閾値２の関係にある。
まず、制御部４ａはメインセクタの受信レベルを復調器５から取得し（Ｓ１１）、その受信レベルが閾値１よりも小さいか否かを判定する（Ｓ１２）。メインセクタの受信レベルが閾値１以上であれば（Ｓ１２，Ｎｏ）、制御部４ａは処理を終了する。また、メインセクタの受信レベルが閾値１よりも小さければ（Ｓ１２，Ｙｅｓ）、制御部４ａは受信レベルが最大のセクタの受信レベルを復調器５から取得し、その受信レベルが閾値２以上であるか否かを判定する（Ｓ１３）。
受信レベルが最大のセクタの受信レベルが閾値２よりも小さい場合には（Ｓ１３，Ｎｏ）、制御部４ａは処理を終了する。また、受信レベルが最大のセクタの受信レベルが閾値２以上であれば（Ｓ１３，Ｙｅｓ）、制御部４ａはメインセクタをその受信レベルが最大のセクタに切り替えて（Ｓ１４）、処理を終了する。
図７Ａおよび７Ｂは、メインセクタが切り替わる場合の受信レベルを示す図である。図７Ａに示すように、メインセクタ（セル／セクタ１）の受信レベルが閾値１以上の場合には、そのメインセクタが切り替わることはない。メインセクタ（セル／セクタ１）の受信レベルが低下して、図７Ｂに示すようにその受信レベルが閾値１より小さくなると、受信レベルが最大のセル／セクタ２の受信レベルが閾値２以上であるので、メインセクタがセル／セクタ２に切り替わる。なお、図７Ｂにおいて、セル／セクタ２およびセル／セクタ３の受信レベルがともに閾値２よりも小さく、かつセル／セクタ１の受信レベルよりも小さければ、メインセクタはセル／セクタ１のままとなる。
以上説明したように、本実施例における移動通信端末によれば、メインセクタの受信レベルが閾値１よりも小さく、最大レベルのセクタの受信レベルが閾値２以上である場合のみメインパスを切り替えるようにしたので、メインセクタが短周期で切り替えられて受信品質が劣化することを防止することが可能となった。
（実施例３）
本発明の実施例３における移動通信端末は、図１に示す実施例１における移動通信端末と比較して、制御部の処理手順が異なる点のみが異なる。また、実施例３における移動通信端末の処理手順は、図４に示す実施例１における移動通信端末の処理手順と比較して、ステップＳ１に示すメインセクタの選択処理のみが異なる。したがって、重複する構成および機能の詳細な説明は繰り返さない。なお、本実施例における制御部の参照符号を４ｂとし、ステップＳ１をステップＳ１ｂとして説明する。
図８は、本実施例における移動通信端末のメインセクタ選択（Ｓ１ｂ）の処理手順をさらに詳細に説明するためのフローチャートである。なお、閾値１は回線品質の閾値を、閾値２はカウンタの閾値を示している。また、回線品質は、所定時間に計数されたビット誤り数によって決定される。
まず、制御部４ｂはメインセクタの受信時における回線品質を検出し（Ｓ２１）、その回線品質が閾値１よりも小さいか否かを判定する（Ｓ２２）。メインセクタの回線品質が閾値１以上であれば（Ｓ２２，Ｎｏ）、制御部４ｂはカウンタに“０”をセットして（Ｓ２６）、処理を終了する。また、メインセクタの回線品質が閾値１よりも小さければ（Ｓ２２，Ｙｅｓ）、制御部４ｂはカウンタをインクリメントし（Ｓ２３）、カウンタの値が閾値２以上であるか否かを判定する（Ｓ２４）。
カウンタの値が閾値２よりも小さい場合には（Ｓ２４，Ｎｏ）、制御部４ｂは処理を終了する。また、カウンタの値が閾値２以上であれば（Ｓ２４，Ｙｅｓ）、制御部４ｂはメインセクタを回線品質が最良のセクタに切り替え、カウンタに“０”をセットして（Ｓ２５）、処理を終了する。
図９Ａおよび９Ｂは、メインセクタが切り替わる場合の回線品質を示す図である。図９Ａに示すように、メインセクタ（セル／セクタ１）の回線品質が低下して、回線品質が閾値１よりも小さくなると、カウンタがインクリメントされる。しかし、カウンタの値が閾値２よりも小さい場合には、そのメインセクタが切り替わることはない。
メインセクタ（セル／セクタ１）の回線品質が閾値１よりも小さい状態が続き、カウンタの値がインクリメントされて閾値２以上となると、図９Ｂに示すようにメインセクタが回線品質が最良のセル／セクタ２に切り替わる。なお、カウンタの値が閾値２以上になる前に、メインセクタ（セル／セクタ１）の回線品質が閾値１以上となると、カウンタに“０”がセットされてカウンタが初期状態に戻る。
以上説明したように、本実施例における移動通信端末によれば、メインセクタの回線品質が閾値１よりも小さい状態が所定時間続いた場合にのみ、メインセクタを回線品質が最良のセクタに切り替えるようにしたので、メインセクタが短周期で切り替えられて受信品質が劣化することを防止することが可能となった。
（実施例４）
本発明の実施例４における移動通信端末は、図１に示す実施例１における移動通信端末と比較して、制御部の処理手順が異なる点のみが異なる。また、実施例４における移動通信端末の処理手順は、図４に示す実施例１における移動通信端末の処理手順と比較して、ステップＳ１に示すメインセクタの選択処理のみが異なる。したがって、重複する構成および機能の詳細な説明は繰り返さない。なお、本実施例における制御部の参照符号を４ｃとし、ステップＳ１をステップＳ１ｃとして説明する。
図１０は、本実施例における移動通信端末のメインセクタ選択（Ｓ１ｃ）の処理手順をさらに詳細に説明するためのフローチャートである。なお、閾値１は回線品質差分の閾値を、閾値２はカウンタの閾値を示している。また、回線品質差分は、回線品質が最良のセル／セクタの回線品質と、メインセクタの回線品質との差分を示している。
まず、制御部４ｃはメインセクタの回線品質と、他のセル／セクタの回線品質とを検出して回線品質差分を検出し（Ｓ３１）、その回線品質差分が閾値１よりも大きいか否かを判定する（Ｓ３２）。回線品質差分が閾値１以下であれば（Ｓ３２，Ｎｏ）、制御部４ｃはカウンタに“０”をセットして（Ｓ３６）、処理を終了する。また、回線品質差分が閾値１よりも大きければ（Ｓ３２，Ｙｅｓ）、制御部４ｃはカウンタをインクリメントし（Ｓ３３）、カウンタの値が閾値２以上であるか否かを判定する（Ｓ３４）。
カウンタの値が閾値２よりも小さい場合には（Ｓ３４，Ｎｏ）、制御部４ｃは処理を終了する。また、カウンタの値が閾値２以上であれば（Ｓ３４，Ｙｅｓ）、制御部４ｃはメインセクタを回線品質が最良のセクタに切り替え、カウンタに“０”をセットして（Ｓ３５）、処理を終了する。
図１１Ａおよび１１Ｂは、メインセクタが切り替わる場合の回線品質差分を示す図である。図１１Ａに示すように、メインセクタ（セル／セクタ１）の回線品質が低下して、回線品質差分が閾値１よりも大きくなると、カウンタがインクリメントされる。しかし、カウンタの値が閾値２よりも小さい場合には、そのメインセクタが切り替わることはない。
メインセクタ（セル／セクタ１）の回線品質差分が閾値１よりも大きい状態が続き、カウンタの値がインクリメントされて閾値２以上となると、図１１Ｂに示すようにメインセクタが回線品質が最良のセル／セクタ２に切り替わる。なお、カウンタの値が閾値２以上になる前に、回線品質差分が閾値１以下となると、カウンタに“０”がセットされてカウンタが初期状態に戻る。
以上説明したように、本実施例における移動通信端末によれば、回線品質差分が閾値１よりも大きい状態が所定時間続いた場合にのみ、メインセクタを回線品質が最良のセクタに切り替えるようにしたので、メインセクタが短周期で切り替えられて受信品質が劣化することを防止することが可能となった。
（実施例５）
本発明の実施例５における移動通信端末は、図１に示す実施例１における移動通信端末と比較して、制御部の処理手順が異なる点のみが異なる。また、実施例５における移動通信端末の処理手順は、図４に示す実施例１における移動通信端末の処理手順と比較して、ステップＳ３〜Ｓ５に示すクロック制御の処理が、後述する図１２に示すステップＳ４１〜Ｓ４７に置換された点のみが異なる。したがって、重複する構成および機能の詳細な説明は繰り返さない。なお、本実施例における制御部の参照符号を４ｄとして説明する。
図１２は、本実施例における移動通信端末のクロック制御の処理手順を説明するためのフローチャートである。まず、制御部４ｄはカウンタの値をデクリメントし（Ｓ４１）、カウンタの値が“０”以上であるか否かを判定する（Ｓ４２）。カウンタの値が“０”以上であれば（Ｓ４２，Ｙｅｓ）、制御部４ｄは処理を終了する。また、カウンタの値が“０”より小さければ（Ｓ４２，Ｎｏ）、制御部４ｄはメインパスのタイミングを判定する（Ｓ４３）。
メインパスの変更があり、変更後のメインパスが変更前のメインパスよりも進んでいる場合には（Ｓ４３，▲１▼）、制御部４ｄはクロック生成部７を制御して、図２Ｂに示すようにクロックの進み制御を行ない（Ｓ４４）、カウンタに制約段数を設定して（Ｓ４５）、処理を終了する。また、メインパスの変更がない場合には（Ｓ４３，▲２▼）、そのまま処理が終了する。また、メインパスの変更があり、変更後のメインパスが変更前のメインパスよりも遅れている場合には（Ｓ４３，▲３▼）、制御部４ｄはクロック生成器７を制御して、図２Ｃに示すようにクロックの遅れ制御を行ない（Ｓ４６）、カウンタに制約段数を設定して（Ｓ４７）、処理を終了する。
以上説明したように、本実施例における移動通信端末によれば、制約段数がカウンタに設定され、カウンタの値が“０”以下になるまでクロックの制御を行なわないようにしたので、クロックのタイミングが頻繁に変更されて受信品質が劣化することを防止することが可能となった。
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
図１は、本発明の実施例１における移動通信端末の概略構成を示すブロック図である。
図２Ａ〜２Ｃは、サンプリングクロックのタイミング変更の概念を説明するための図である。
図３は、クロック生成部７の概略構成を示す図である。
図４は、本発明の実施例１における移動通信端末の処理手順を説明するためのフローチャートである。
図５は、メインパスの選択を説明するための図である。
図６は、本発明の実施例２における移動通信端末のメインセクタ選択の処理手順を説明するためのフローチャートである。
図７Ａおよび７Ｂは、メインセクタが切り替わる場合の受信レベルを示す図である。
図８は、本発明の実施例３における移動通信端末のメインセクタ選択の処理手順を説明するためのフローチャートである。
図９Ａおよび９Ｂは、メインセクタが切り替わる場合の回線品質を示す図である。
図１０は、本発明の実施例４における移動通信端末のメインセクタ選択の処理手順を説明するためのフローチャートである。
図１１Ａおよび１１Ｂは、メインセクタが切り替わる場合の回線品質差分を示す図である。
図１２は、本発明の実施例５における移動通信端末のクロック制御の処理手順を説明するためのフローチャートである。
図１３は、ハンドオーバの発生を説明するための図である。
【図１】
0003790163.tif 000002
【図２Ａ】
0003790163.tif 000003
【図２Ｂ】
0003790163.tif 000004
【図２Ｃ】
0003790163.tif 000005
【図３】
0003790163.tif 000006
【図４】
0003790163.tif 000007
【図５】
0003790163.tif 000008
【図６】
0003790163.tif 000009
【図７Ａ】
0003790163.tif 000010
【図７Ｂ】
0003790163.tif 000011
【図８】
0003790163.tif 000012
【図９Ａ】
0003790163.tif 000013
【図９Ｂ】
0003790163.tif 000014
【図１０】
0003790163.tif 000015
【図１１Ａ】
0003790163.tif 000016
【図１１Ｂ】
0003790163.tif 000017
【図１２】
0003790163.tif 000018
【図１３】
0003790163.tif 000019